(57)【要約】【課題】動作モードの組合せ設定用のモード端子を追加設定用の端子としても共用できるようにして、端子数を削減した電源装置を提供する。【解決手段】状態設定回路１０と、モード抵抗Ｒｍｏｄｅに並列となるようにモード端子３に接続されるキャパシタＣｍｏｄｅと、モード抵抗ＲｍｏｄｅとキャパシタＣｍｏｄｅを時定数素子とするタイマ回路２０と、状態設定回路１０を動作させるためのスイッチＳ１と、タイマ回路２０を動作させるためのスイッチＳ２と、前記スイッチＳ１，Ｓ２を制御する制御回路５とを備える。制御回路５は、状態設定を行うときはスイッチＳ１をＯＮさせると共にスイッチＳ２をＯＦＦさせ、状態設定の完了後にタイマ回路２０を動作させるときはスイッチＳ１をＯＦＦさせると共にスイッチＳ２がＯＮさせるよう制御する。【選択図】図１
2018005649.tif 000002
【特許請求の範囲】
【請求項１】
モード抵抗が接続され且つ一定の基準電圧になるように帰還制御されるモード端子を備え、前記モード抵抗に流れる電流の値に応じて動作モードの組合せを設定する状態設定回路を備えた電源装置であって、
前記モード抵抗に並列となるように前記モード端子に接続されるキャパシタと、前記モード抵抗と前記キャパシタを時定数素子とするタイマ回路と、前記状態設定回路を動作させるための第１スイッチと、前記タイマ回路を動作させるための第２スイッチと、前記第１及び第２スイッチを制御する制御回路とを備え、
前記制御回路は、状態設定を行うときは前記第１スイッチをＯＮさせると共に前記第２スイッチをＯＦＦさせ、前記状態設定の完了後に前記タイマ回路を動作させるときは前記第１スイッチをＯＦＦさせると共に前記第２スイッチをＯＮさせるよう制御することを特徴とする電源装置。
【請求項２】
モード抵抗が接続され且つ一定の基準電圧になるように帰還制御されるモード端子を備え、前記モード抵抗に流れる電流の値に応じて動作モードの組合せを設定する状態設定回路を備えた電源装置であって、
前記モード抵抗に並列となるように前記モード端子に接続されるキャパシタと、前記モード抵抗と前記キャパシタを時定数素子とする発振回路と、前記状態設定回路を動作させるための第１スイッチと、前記発振回路を動作させるための第３スイッチと、前記第１及び第３スイッチを制御する制御回路とを備え、
前記制御回路は、状態設定を行うときは前記第１スイッチをＯＮさせると共に前記第３スイッチをＯＦＦさせ、前記状態設定の完了後に前記発振回路を動作させるときは前記第１スイッチをＯＦＦさせると共に前記第３スイッチをＯＮさせるよう制御することを特徴とする電源装置。
【請求項３】
請求項１又は２に記載の電源装置において、
前記状態設定回路は、前記モード端子の電圧を基準電圧になるように帰還制御することで前記モード抵抗の抵抗値に反比例した電流値の電流を生成する電流発生回路と、該電流発生回路で発生した電流の電流値に対応した互いに同一の電流値の電流を個別に流すＮ個（Ｎは２以上の整数）の電流源と、互いに異なった電流値のＮ個の基準電流源と、前記Ｎ個の電流源の電流値と前記Ｎ個の基準電流源の電流値とを個別に比較するＮ個の電流比較手段とを備え、
前記Ｎ個の電流比較手段の出力信号の論理の組み合わせによって動作モードの前記組合せが設定されるようにしたことを特徴とする電源装置。
【請求項４】
請求項３に記載の電源装置において、
前記電流発生回路は、反転入力端子と非反転入力端子の一方が前記モード端子に接続され前記反転入力端子と前記非反転入力端子の他方に前記基準電圧が入力するオペアンプと、ゲートが前記オペアンプの出力端子に接続されドレインが前記モード端子に接続され前記モード端子の電圧を前記基準電圧に一致させるように動作する基準トランジスタとで構成され、
前記電流源は、前記基準トランジスタと同一導電型で且つ前記基準トランジスタにゲートが共通接続された電流源トランジスタで構成され、
前記電流比較手段は、前記電流源トランジスタの電流と前記基準電流源の電流との差分の極性によって論理を決めるインバータで構成されている、
ことを特徴とする電源装置。
【請求項５】
請求項４に記載の電源装置において、
前記Ｎ個の基準電流源を同じ抵抗値の抵抗に置き換えたことを特徴とする電源装置。
【発明の詳細な説明】
【技術分野】
【０００１】
本発明は、外付けのモード抵抗の抵抗値によって動作モードの組合せ（以下、「状態」と呼ぶこともある）を設定する状態設定回路を備えた電源装置に関する。
【背景技術】
【０００２】
汎用性の高い電源装置では複数の動作モードが設定可能となっており、ユーザはその複数の動作モードのうちから使用アプリケーションに応じた動作モードの組み合わせを選択できるようになっている。この種の技術は、例えば特許文献１に記載されている。
【０００３】
例えば、電圧変換方式では、スイッチング電源方式とシリーズレギュレータ方式の一方が選択可能になっている（第１グループ）。また、過電流保護方式では、過電流が所定値に達すると所定時間経過後に出力電圧を遮断するタイマラッチ方式と、過電流が所定値に達すると一定時間だけ出力電圧を遮断してその後ある時間が経過すると出力電圧を復帰させることを繰り返すヒカップ（自動復帰）方式の一方が選択可能となっている（第２グループ）。さらに、出力電圧についても複数の電圧から１個の電圧が選択可能となっている（第３グループ）。
【０００４】
これら第１乃至第３グループから１個づつ動作モードを選び出してそれらを組み合わせる組合せの数はきわめて多くなる。例えば、１つのグループに２つの動作モードがある場合は、８通りの組合せが可能である。しかし、ユーザにおいてそれら動作モードの組合せを設定することは煩わしい。そこで、これらの動作モードの複数の組合せから１つの組合せを簡単に選択するための状態設定回路が望まれる。
【０００５】
図７は状態設定回路の一例を示す図であり、状態設定回路１０Ａは、動作モードの７つの組合せから１つの組合せを選択して設定できるようにした回路である。１は電源端子、２は接地端子、３はモード端子、６はデコーダである。Ｉｒｅｆ０はモード端子３に接続したモード抵抗Ｒｍｏｄｅに流れる電流を決める電流源である。
【０００６】
ＣＰ１〜ＣＰ６はコンパレータであり、それぞれ、反転入力端子には互いに異なる電圧の基準電圧源Ｖｒｅｆ１〜Ｖｒｅｆ６が接続され、非反転入力端子はモード端子３に接続され、出力端子ＯＵＴ１〜ＯＵＴ６はデコーダ６に接続されている。
【０００７】
このデコーダ６は、出力端子ＯＵＴ１〜ＯＵＴ６の信号の論理の組み合わせをデコーダして、動作モードの７つの組合せのうちから１つの組合せを指定する例えば３ビットの状態設定信号ＭＯＤＥを出力する。
【０００８】
図７の状態設定回路１０Ａでは、モード端子３に接続したモード抵抗Ｒｍｏｄｅとそこに流れる電流Ｉｒｅｆ０によって、そのモード端子３に発生するモード電圧Ｖｍｏｄｅが決まる。そして、このモード電圧ＶｍｏｄｅがコンパレータＣＰ１〜ＣＰ６の非反転入力端子に入力して、コンパレータＣＰ１〜ＣＰ６の基準電圧Ｖｒｅｆ１〜Ｖｒｅｆ６と比較されることで、そのコンパレータＣＰ１〜ＣＰ６の出力端子ＯＵＴ１〜ＯＵＴ６の信号の論理の組み合わせが決まり、この組み合わせをデコーダ６でデコードすることで、状態設定信号ＭＯＤＥが決定される。
【０００９】
図８は状態設定回路の別の一例を示す図であり、状態設定回路１０Ｂは、図７に示した状態設定回路１０Ａと同様に、動作モードの７つの組合せから１つの組合せを選択して設定できるようにした回路である。１は電源端子、２は接地端子、３はモード端子、４はデコーダである。
【００１０】
ＯＰ１はオペアンプであり、非反転入力端子はモード端子３に接続され、反転入力端子は基準電圧源Ｖｒｅｆ０に接続され、出力端子はＰＭＯＳトランジスタＭＰ０のゲートに接続されている。これにより、オペアンプＯＰ１の非反転入力端子の電圧が反転入力端子の基準電圧Ｖｒｅｆ０に一致するようにトランジスタＭＰ０が帰還制御される。これによって生成したトランジスタＭＰ０のドレイン電圧Ｖｒｅｆ０が、モード端子３と接地端子２との間に接続されたモード抵抗Ｒｍｏｄｅに印加して、そこにモード電流Ｉｍｏｄｅが流れる。このモード電流ＩｍｏｄｅはトランジスタＭＰ０のドレイン電流でもある。
【００１１】
トランジスタＭＰ０のゲートには、トランジスタＭＰ０とサイズ比が同じ６個のＰＭＯＳトランジスタＭＰ１〜ＭＰ６のゲートが共通接続されており、このため、それらのトランジスタＭＰ１〜ＭＰ６のドレイン電流も、モード電流Ｉｍｏｄｅと同じとなる。
【００１２】
そして、トランジスタＭＰ１〜ＭＰ６のドレインと接地端子２との間には、互いに異なる電流の基準電流源Ｉｒｅｆ１〜Ｉｒｅｆ６がそれぞれ接続されており、各トランジスタＭＰ１〜ＭＰ６と各基準電流源Ｉｒｅｆ１〜Ｉｒｅｆ６の共通接続点には、インバータＩＮＶ１〜ＩＮＶ６の入力端子がそれぞれ接続されている。それらインバータＩＮＶ１〜ＩＮＶ６の出力端子ＯＵＴ１〜ＯＵＴ６はデコーダ４に接続されている。
【００１３】
このデコーダ４は、出力端子ＯＵＴ１〜ＯＵＴ６の信号の論理の組み合わせをデコーダして、動作モードの７つの組合せのうちから１つの組合せを指定する例えば３ビットの状態設定信号ＭＯＤＥを出力する。
【００１４】
図８の状態設定回路１０Ｂでは、モード端子３に出力する電圧は一定の電圧Ｖｒｅｆ０となるが、そこに接続するモード抵抗Ｒｍｏｄｅの抵抗値を切り替えることで、そこに流れる電流が切り替わり、同時にトランジスタＭＰ１〜ＭＰ６のドレインに流れる電流も切り替わる。したがって、モード抵抗Ｒｍｏｄｅの抵抗値に応じて、インバータＩＮＶ１〜ＩＮＶ６の出力端子ＯＵＴ１〜ＯＵＴ６の信号の論理の組み合わせが決まり、この組み合わせをデコーダ４でデコードすることで、状態設定信号ＭＯＤＥが決定される。
【先行技術文献】
【特許文献】
【００１５】
【特許文献１】特許第５５１１５６４号
【発明の概要】
【発明が解決しようとする課題】
【００１６】
ところで、電源装置では、状態設定回路で動作モードの組合せを設定した後に、当該組合せの中に含まれる特定の動作モードにおいて、その内容（タイマ時間、スイッチング周波数等）を特定の端子に接続した素子によって設定する必要がある場合がある。つまり、状態設定のためのモード端子３とは別に、追加設定用の端子が必要になっていた。
【００１７】
本発明の目的は、動作モードの組合せ設定用のモード端子を追加設定用の端子としても共用できるようにして、端子数を削減した電源装置を提供することである。
【課題を解決するための手段】
【００１８】
上記目的を達成するために、請求項１にかかる発明の電源装置は、モード抵抗が接続され且つ一定の基準電圧になるように帰還制御されるモード端子を備え、前記モード抵抗に流れる電流の値に応じて動作モードの組合せを設定する状態設定回路を備えた電源装置であって、前記モード抵抗に並列となるように前記モード端子に接続されるキャパシタと、前記モード抵抗と前記キャパシタを時定数素子とするタイマ回路と、前記状態設定回路を動作させるための第１スイッチと、前記タイマ回路を動作させるための第２スイッチと、前記第１及び第２スイッチを制御する制御回路とを備え、前記制御回路は、状態設定を行うときは前記第１スイッチをＯＮさせると共に前記第２スイッチをＯＦＦさせ、前記状態設定の完了後に前記タイマ回路を動作させるときは前記第１スイッチをＯＦＦさせると共に前記第２スイッチをＯＮさせるよう制御することを特徴とする。
【００１９】
請求項２にかかる発明の電源装置は、モード抵抗が接続され且つ一定の基準電圧になるように帰還制御されるモード端子を備え、前記モード抵抗に流れる電流の値に応じて動作モードの組合せを設定する状態設定回路を備えた電源装置であって、前記モード抵抗に並列となるように前記モード端子に接続されるキャパシタと、前記モード抵抗と前記キャパシタを時定数素子とする発振回路と、前記状態設定回路を動作させるための第１スイッチと、前記発振回路を動作させるための第３スイッチと、前記第１及び第３スイッチを制御する制御回路とを備え、前記制御回路は、状態設定を行うときは前記第１スイッチをＯＮさせると共に前記第３スイッチをＯＦＦさせ、前記状態設定の完了後に前記発振回路を動作させるときは前記第１スイッチをＯＦＦさせると共に前記第３スイッチをＯＮさせるよう制御することを特徴とする。
【００２０】
請求項３にかかる発明は、請求項１又は２に記載の電源装置において、前記状態設定回路は、前記モード端子の電圧を基準電圧になるように帰還制御することで前記モード抵抗の抵抗値に反比例した電流値の電流を生成する電流発生回路と、該電流発生回路で発生した電流の電流値に対応した互いに同一の電流値の電流を個別に流すＮ個（Ｎは２以上の整数）の電流源と、互いに異なった電流値のＮ個の基準電流源と、前記Ｎ個の電流源の電流値と前記Ｎ個の基準電流源の電流値とを個別に比較するＮ個の電流比較手段とを備え、前記Ｎ個の電流比較手段の出力信号の論理の組み合わせによって動作モードの前記組合せが設定されるようにしたことを特徴とする。
【００２１】
請求項４にかかる発明は、請求項３に記載の電源装置において、前記電流発生回路は、反転入力端子と非反転入力端子の一方が前記モード端子に接続され前記反転入力端子と前記非反転入力端子の他方に前記基準電圧が入力するオペアンプと、ゲートが前記オペアンプの出力端子に接続されドレインが前記モード端子に接続され前記モード端子の電圧を前記基準電圧に一致させるように動作する基準トランジスタとで構成され、前記電流源は、前記基準トランジスタと同一導電型で且つ前記基準トランジスタにゲートが共通接続された電流源トランジスタで構成され、前記電流比較手段は、前記電流源トランジスタの電流と前記基準電流源の電流との差分の極性によって論理を決めるインバータで構成されている、ことを特徴とする。
【００２２】
請求項５にかかる発明は、請求項４に記載の電源装置において、前記Ｎ個の基準電流源を同じ抵抗値の抵抗に置き換えたことを特徴とする。
【発明の効果】
【００２３】
本発明によれば、モード端子に動作モードの現在の組合せを決めるモード抵抗とタイマ回路のタイマ時間を決めるキャパシタあるいは発振回路の発振周波数を決めるキャパシタを共通接続することができるので、必要な端子数を削減することができる。また、インバータを使用できるので、回路規模を小さくすることができる。さらに、外部から電圧を印加せずにモードを設定することができるので、ＦＭＥＡの検討が容易になる。
【図面の簡単な説明】
【００２４】
【図１】本発明の第１実施例の状態設定回路とタイマ回路の回路図である。
【図２】図１の状態設定回路のデコード説明図である。
【図３】図１の状態設定回路の基準値と動作モードの組合せの関係を示す説明図である。
【図４】図１のタイマ回路の動作波形図である。
【図５】本発明の第２実施例の状態設定回路と発振回路の回路図である。
【図６】図５の発振回路の動作波形図である。
【図７】状態設定回路の一例の回路図である。
【図８】別の状態設定回路の一例の回路図である。
【発明を実施するための形態】
【００２５】
＜第1実施例＞
図１に本発明の第１実施例の状態設定回路１０とタイマ回路２０を示す。１は電源端子、２は接地端子、３はモード端子、４はデコーダ、５は制御回路である。Ｒｍｏｄｅはモード端子３と接地端子２の間に接続されるモード抵抗、Ｃｍｏｄｅはモード端子３と接地端子２の間に接続されるキャパシタである。Ｓ１、Ｓ２はスイッチであり、制御回路５から出力する制御信号Ｃ１によってＯＮ/ＯＦＦが制御される。
【００２６】
状態設定回路１０において、ＯＰ１はオペアンプであり、非反転入力端子はスイッチＳ１を介してモード端子３に接続され、反転入力端子は基準電圧源Ｖｒｅｆ０１に接続され、出力端子はＰＭＯＳトランジスタＭＰ０のゲートに接続されている。スイッチＳ１がＯＮしているときは、オペアンプＯＰ１の非反転入力端子の電圧が反転入力端子の基準電圧Ｖｒｅｆ０１に一致するようにトランジスタＭＰ０が帰還制御される。これによって生成したトランジスタＭＰ０のドレイン電圧Ｖｒｅｆ０１が、モード端子３と接地端子２との間に接続されたモード抵抗Ｒｍｏｄｅに印加して、モード電流Ｉｍｏｄｅが流れる。このモード電流ＩｍｏｄｅはトランジスタＭＰ０のドレイン電流でもある。
【００２７】
トランジスタＭＰ０のゲートには、トランジスタＭＰ０とサイズ比が同じ６個のＰＭＯＳトランジスタＭＰ１〜ＭＰ６のゲートが共通接続されており、このため、それらのトランジスタＭＰ１〜ＭＰ６のドレイン電流もモード電流Ｉｍｏｄｅと同じとなる。
【００２８】
そして、トランジスタＭＰ１〜ＭＰ６のドレインと接地端子２との間には、基準電流源Ｉｒｅｆ１〜Ｉｒｅｆ６（電流値はＩｒｅｆ１＜Ｉｒｅｆ２＜Ｉｒｅｆ３＜Ｉｒｅｆ４＜Ｉｒｅｆ５＜Ｉｒｅｆ６の関係にある）がそれぞれ接続されており、各トランジスタＭＰ１〜ＭＰ６と各基準電流源Ｉｒｅｆ１〜Ｉｒｅｆ６の共通接続点には、インバータＩＮＶ１〜ＩＮＶ６の入力端子がそれぞれ接続されている。それらインバータＩＮＶ１〜ＩＮＶ６の出力端子ＯＵＴ１〜ＯＵＴ６はデコーダ４に接続されている。デコーダ４からは、出力端子ＯＵＴ１〜ＯＵＴ６の論理の組合せに応じて、例えば３ビットの状態設定信号ＭＯＤＥが出力する。
【００２９】
タイマ回路２０は、反転入力端子にスイッチＳ２を介してモード端子３が接続され、非反転入力端子に電圧源Ｖｒｅｆ０２が接続されたコンパレータＣＰ０を有している。モード端子３と接地端子２に並列接続したモード抵抗ＲｍｏｄｅとキャパシタＣｍｏｄｅは、タイマ回路２０の時定数素子として使用されている。
【００３０】
なお、請求項記載の基準トランジスタはトランジスタＭＰ０で、電流源トランジスタはトランジスタＭＰ１〜ＭＰ６で、それぞれ構成されている。また、電流発生回路は、オペアンプＯＰ１、トランジスタＭＰ０、基準電圧源Ｖｒｅｆ０、及びモード抵抗Ｒｍｏｄｅで構成されている。さらに、電流比較手段はインバータＩＮＶ１〜ＩＮＶ６で構成されている。
【００３１】
さて、動作モードの組合せを設定する状態設定時には、制御回路５から出力する制御信号Ｃ１によって、スイッチＳ１がＯＮし、スイッチＳ２がＯＦＦする。
【００３２】
そして、モード抵抗Ｒｍｏｄｅの抵抗値をＲ１に設定することで、Ｉｍｏｄｅ＜Ｉｒｅｆ１になると、インバータＩＮＶ１〜ＩＮＶ６の入力端子はすべて“Ｌ”となるので、その出力端子ＯＵＴ１〜ＯＵＴ６はすべて“Ｈ”となる（ＭＯＤＥ１）。
【００３３】
また、モード抵抗Ｒｍｏｄｅの抵抗値をＲ２（Ｒ２＜Ｒ１）に設定することで、Ｉｒｅｆ１＜Ｉｍｏｄｅ＜Ｉｒｅｆ２になると、インバータＩＮＶ１の入力端子は“Ｈ”になり、残りのインバータＩＮＶ２〜ＩＮＶ６の入力端子は“Ｌ”となるので、ＯＵＴ１は“Ｌ”、ＯＵＴ２〜ＯＵＴ６はすべて“Ｈ”となる（ＭＯＤＥ２）。
【００３４】
また、モード抵抗Ｒｍｏｄｅの抵抗値をＲ３（Ｒ３＜Ｒ２）に設定することで、Ｉｒｅｆ２＜Ｉｍｏｄｅ＜Ｉｒｅｆ３になると、インバータＩＮＶ１，ＩＮＶ２の入力端子は“Ｈ”になり、残りのインバータＩＮＶ３〜ＩＮＶ６の入力端子は“Ｌ”となるので、ＯＵＴ１、ＯＵＴ２は“Ｌ”、ＯＵＴ３〜ＯＵＴ６は“Ｈ”となる（ＭＯＤＥ３）。
【００３５】
また、モード抵抗Ｒｍｏｄｅの抵抗値をＲ４（Ｒ４＜Ｒ３）に設定することで、Ｉｒｅｆ３＜Ｉｍｏｄｅ＜Ｉｒｅｆ４になると、インバータＩＮＶ１〜ＩＮＶ３の入力端子は“Ｈ”になり、インバータＩＮＶ４〜ＩＮＶ６の入力端子は“Ｌ”となるので、ＯＵＴ１〜ＯＵＴ３は“Ｌ”、ＯＵＴ４〜ＯＵＴ６は“Ｈ”となる（ＭＯＤＥ４）。
【００３６】
また、モード抵抗Ｒｍｏｄｅの抵抗値をＲ５（Ｒ５＜Ｒ４）に設定することで、Ｉｒｅｆ４＜Ｉｍｏｄｅ＜Ｉｒｅｆ５になると、インバータＩＮＶ１〜ＩＮＶ４の入力端子は“Ｈ”になり、インバータＩＮＶ５，ＩＮＶ６の入力端子は“Ｌ”となるので、ＯＵＴ１〜ＯＵＴ４は“Ｌ”、ＯＵＴ５，ＯＵＴ６は“Ｈ”となる（ＭＯＤＥ５）。
【００３７】
また、モード抵抗Ｒｍｏｄｅの抵抗値をＲ６（Ｒ６＜Ｒ５）に設定することで、Ｉｒｅｆ５＜Ｉｍｏｄｅ＜Ｉｒｅｆ６になると、インバータＩＮＶ１〜ＩＮＶ５の入力端子は“Ｈ”になり、インバータＩＮＶ６の入力端子は“Ｌ”となるので、ＯＵＴ１〜ＯＵＴ５は“Ｌ”、ＯＵＴ６は“Ｈ”となる（ＭＯＤＥ６）。
【００３８】
最後に、モード抵抗Ｒｍｏｄｅの抵抗値をＲ７（Ｒ７＜Ｒ６）に設定することで、Ｉｒｅｆ６＜Ｉｍｏｄｅになると、インバータＩＮＶ１〜ＩＮＶ６の入力端子はすべて“Ｈ”になるので、ＯＵＴ１〜ＯＵＴ６はすべて“Ｌ”となる（ＭＯＤＥ７）。
【００３９】
以上から、スイッチＳ１がＯＮしスイッチＳ２がＯＦＦしている状態設定時には、モード抵抗Ｒｍｏｄｅとして抵抗値Ｒ１〜Ｒ７のうちから１つを選定すれば、図２、図３に示すように、動作モードの組合せをＭＯＤＥ１〜ＭＯＤＥ７のいずれか１つに設定することができる。
【００４０】
以上のようにして動作モードの組合せを設定する状態設定が行われると、動作モードの組合せが確定し、電源装置は設定された動作モードに設定される。その後、デコーダ４の出力信号を受ける制御回路５から出力する制御信号Ｃ１によって、スイッチＳ１がＯＦＦされ、モード端子３に電圧Ｖｒｅｆ０１は印加されなくなる。
【００４１】
そして、スイッチＳ２がＯＮされる。このとき、デコーダ４によって設定された動作モードの中にタイマ機能が動作するモードがある場合、例えばソフトスタート機能が含まれている場合には、そのソフトスタート期間（例えば、スイッチング電源装置では最大デューティを制限する期間）を決めるタイマ時間をタイマ回路２０により、設定することができる。
【００４２】
すなわち、上記したような状態設定時には、キャパシタＣｍｏｄｅの電圧Ｖｍｏｄｅは電圧Ｖｒｅｆ０１に充電されているので、スイッチＳ１がＯＦＦされスイッチＳ２がＯＮされた時点では、タイマ回路２０のコンパレータＣＰ０は、反転入力端子の電圧Ｖｒｅｆ０１が非反転入力端子の電圧Ｖｒｅｆ０２よりも高い。このため、図４に示すように、そのコンパレータＣＰ０の出力電圧Ｖｄｅｌａｙは“Ｌ”となる。
【００４３】
この後、キャパシタＣｍｏｄｅの電荷はモード抵抗Ｒｍｏｄｅを介して放電を開始して、その電圧Ｖｍｏｄｅが低下する。そして、電圧Ｖｍｏｄｅが電圧Ｖｒｅｆ０２よりも低下すると、タイマ回路２０のコンパレータＣＰ０の出力電圧Ｖｄｅｌａｙが“Ｈ”に変化する。
【００４４】
このように、タイマ回路２０のコンパレータＣＰ０の出力電圧Ｖｄｅｌａｙが“Ｈ”になってから“Ｌ”に変化するまでのタイマ時間は、キャパシタＣｍｏｄｅの容量によって決めることができる。したがって、キャパシタＣｍｏｄｅの容量値を適宜設定することによって、スイッチＳ１がＯＦＦし、スイッチＳ２がＯＮしてからのタイマ回路２０のタイマ時間を任意に設定することができる。
【００４５】
本実施例によれば、スイッチＳ１がＯＮしスイッチＳ２がＯＦＦしているときに状態設定のために接続するモード抵抗Ｒｍｏｄｅと、スイッチＳ１がＯＦＦしスイッチＳ２がＯＮしているときにタイマ設定のために接続するキャパシタＣｍｏｄｅを、共通のモード端子３に接続することができるので、端子数を増加させることなく、２つの機能を実現することができる。また、状態設定時には、モード端子３の電圧は基準電圧Ｖｒｅｆ０１から変化しないので、モード端子３の隣接端子との短絡、接地端子２への地絡、電源端子１への天絡等のＦＭＥＡの検討作業が容易となる。
【００４６】
＜第２実施例＞
図５に本発明の第２実施例の状態設定回路１０と発振回路３０を示す。図１に示したものと同じものは同じ符号をつけた。本実施例では、制御回路５から出力する制御信号Ｃ２によって、スイッチＳ１がＯＮするときはスイッチＳ３がＯＦＦし、スイッチＳ１がＯＦＦするときにはスイッチＳ３がＯＮする。状態設定回路１０は第１実施例と同じ構成で同様に動作するので、ここでは説明を省略する。
【００４７】
発振回路３０は、オペアンプＯＰ１、ＰＭＯＳトランジスタＭＰａ、ＮＭＯＳトランジスタＭＮａ、抵抗Ｒ１，Ｒ２、電圧源Ｖｒｅｆ０３を有し、モード端子３と接地端子２に並列接続したモード抵抗ＲｍｏｄｅとキャパシタＣｍｏｄｅは、発振回路３０の時定数素子として使用されている。
【００４８】
状態設定時にはスイッチＳ１がＯＮし、スイッチＳ３がＯＦＦしているので、発振回路３０のオペアンプＯＰ２の出力電圧Ｖｏｓｃは一定の電圧となっているが、状態設定が完了してスイッチＳ１がＯＦＦし、スイッチＳ３がＯＮすると、発振回路３０が発振を開始する。この発振の周波数は、モード端子３に接続したキャパシタＣｍｏｄｅによって変更可能である。
【００４９】
したがって、状態設定によって設定された組合せの中に動作モードとしてスイッチング電源方式が含まれている場合には、スイッチングのデューティを決める鋸歯状波信号に発振回路３０の発振電圧Ｖｏｓｃを使用することができる。そして、その鋸歯状波信号の周波数を、キャパシタＣｍｏｄｅによって設定することができる。
【００５０】
本実施例によれば、スイッチＳ１がＯＮしスイッチＳ３がＯＦＦしているときに状態設定のために接続するモード抵抗Ｒｍｏｄｅと、スイッチＳ１がＯＦＦしスイッチＳ３がＯＮしているときに発振回路３０の周波数設定のために接続するキャパシタＣｍｏｄｅを、共通のモード端子３に接続することができるので、端子数を増加させることなく、２つの機能を実現することができる。また、状態設定時には、モード端子３の電圧は基準電圧Ｖｒｅｆ０１から変化しないので、モード端子３の隣接端子との短絡、接地端子２への地絡、電源端子１への天絡等のＦＭＥＡの検討作業が容易となる。
【００５１】
＜その他の実施例＞
なお、以上説明した実施例では、状態設定回路１０にＰＭＯＳのトランジスタＭＰ０〜ＭＰ６を使用したが、これらをＮＭＯＳトランジスタに置き換えることもできる。この場合は、オペアンプＯＰ１の反転入力端子をモード端子３に接続し非反転入力端子に基準電圧源Ｖｒｅｆ０１を接続すればよい。また、基準電流源Ｉｒｅｆ１〜Ｉｒｅｆ６は同一の抵抗値の固定抵抗に置き換えることができる。また、インバータＩＮＶ１〜ＩＮＶ６としては、２個の閾値を設けてヒステリシスを付与したインバータを使用すれば、安定的な電流比較を行うことができる。
【符号の説明】
【００５２】
１：電源端子、２：接地端子、３：モード端子、４：デコーダ、５：制御回路、６：デコーダ、１０、１０Ａ，１０Ｂ：状態設定回路、２０：タイマ回路、３０：発振回路
【図１】
2018005649.tif 000003
【図２】
2018005649.tif 000004
【図３】
2018005649.tif 000005
【図４】
2018005649.tif 000006
【図５】
2018005649.tif 000007
【図６】
2018005649.tif 000008
【図７】
2018005649.tif 000009
【図８】
2018005649.tif 000010